(57)【要約】【課題】  撮影者の任意によりピント振れ補正の停止／実行を可能とする。【解決手段】  ピント振れを検出部と、該ピント振れを検出部の出力に基づいてピント振れを補正する補正手段を有する撮像装置において、ピント振れ補正停止スイッチを有する。【選択図】  図１
2010145501.tif 000002
【特許請求の範囲】
【請求項１】
平行振れおよび光軸方向の振れ（ピント振れ）を検出する検出手段と、
該平行振れおよびピント振れを検出する検出手段の出力に基づいて平行振れおよびピント振れを補正する補正手段を有する撮像装置において、
該ピント振れ補正の停止手段を設けたことを特徴とする撮像装置。
【請求項２】
前記ピント振れ補正の停止手段は、交換レンズ側に設けられていることを特徴とする請求項１に記載の撮像装置。
【請求項３】
前記ピント振れ補正の停止手段は、カメラ側に設けられていることを特徴とする請求項１に記載の撮像装置。
【発明の詳細な説明】
【技術分野】
【０００１】
本発明は、撮影時に発生する手振れ等による像振れを補正する像振れ補正に関するものである。
【背景技術】
【０００２】
カメラや交換レンズ等の光学機器には、手振れ等による像振れを抑制する防振システムが搭載されていることが多い。
【０００３】
手振れは、通常1Hz〜10Hzの周波数を有する振動である。露光時点において手振れを起こしていても像振れの無い写真を撮影可能とする防振システムではシステムに加わる振動を検出し補正する機能を有している。具体的には、光学機器の振動を検出し、この検出結果に応じて補正レンズを変位させたり（光学防振）、撮影映像のうち切り取る（出力する）領域を変更したりしている。なお、手ぶれ等の振動は、レーザージャイロや加速度センサ等の検出装置により検出された加速度、角加速度、加速度、角変位等に基づく演算処理により求められる。
【０００４】
ところで、一般に撮影倍率が０．１倍以下の場合には、撮像面が傾く方向の角度振れの補正のみで像振れ補正は十分であるが、撮影倍率がそれよりも大きくなると、撮像面に対して平行な方向の振れの影響が大きくなる。さらに、撮影倍率が大きくなると、ピント方向（撮影光軸方向）の振れの影響も大きくなる。これは、平行振れが撮影倍率に比例して像面上でのずれとして発生し、またピント方向の振れ（ピント振れ）は撮影倍率の二乗に比例してピントのずれとして発生するためである。
【０００５】
このため、従来マクロレンズのような撮影倍率の高い光学機器において、加速度センサ等の変位センサを用いることで光学的振れ補正手段を制御し平行振れ及びピント振れを補正する提案がなされている。例えば、特許文献1では、加速度センサ、速度センサ、又は位置センサ等の変位センサによりカメラの振れを検出し露光中に再度自動合焦動作（ＡＦ）をさせ、ピント振れを補正するという技術提案がなされている。
【０００６】
また、加速度センサで検出される加速度からカメラの振れを検出する方法として、特許文献２では次のような手法が開示されている。まず、ＡＦセンサ信号に基づいて算出された補正値を用い、加速度センサの示す信号から重力加速度成分を除去する。さらに振れ速度および変位を算出する際に用いる初速度をＡＦセンサの信号から求める。以上のようにＡＦセンサ等の焦点検出用撮像素子と加速度センサの信号の双方を用いて振れ情報を求めることで角度振れ、平行振れ及びピント振れを含む光学機器の振れを精度良くかつ迅速に検出する技術提案がなされている。
【特許文献１】特開平10-312006号公報
【特許文献２】特開2006-3439号公報
【発明の開示】
【発明が解決しようとする課題】
【０００７】
前述した文献のようにマクロ撮影時には、平行振れ及びピント振れ両方の補正を行うのが防振性能を発揮できる。しかし、AF完了後もしくはMF時に被写体に対して体（カメラ）を前後させる等、敢えてカメラに振れを与えて合焦させる撮影方法もあり、前記撮影方法においてはピント振れ補正を行わない方が好ましい場合がある。
【０００８】
よって本発明の目的は上述の点に鑑み、撮影者の任意によりピント振れ補正の停止／実行を可能とした光学機器を提供することにある。
【課題を解決するための手段】
【０００９】
上記の目的を達成するために本発明は、平行振れおよびピント振れを検出する検出手段と、該平行振れおよびピント振れを検出する検出手段の出力に基づいて平行振れおよびピント振れを補正する補正手段を有する撮像装置において、該ピント振れ補正の停止手段を設けている。
【発明の効果】
【００１０】
本発明によれば、例えば、撮影者の任意によりピント振れ補正の停止／実行することが可能である。
【発明を実施するための最良の形態】
【００１１】
以下、本発明の実施例について図面を参照しながら説明する。
【実施例１】
【００１２】
第１の実施形態は、ピント振れ補正停止手段をレンズ側に設けたものである。
【００１３】
図１は、本実施形態のレンズ交換式デジタル一眼レフカメラの断面図である。ここでは、レンズ光軸（撮影光軸）ＡＸＬの方向をＺ方向とし、上記レンズ光軸ＡＸＬに対して直交する方向であって、撮像面に平行な２方向のうち横方向をＸ方向、縦方向をＹ方向とする。
【００１４】
１はカメラボディ（以下、単にカメラという）、２はカメラ１に装着された交換レンズである。カメラ１において、３はメインミラーであり、撮影開始前においては、交換レンズ２からの光束の光路上に配置され、その光束の一部を反射してファインダ光学系（７，８）に導き、かつ残りの光束を透過させる。この状態において、メインミラー３の背後にはサブミラー４が配置されており、メインミラー３を透過した光束を反射して焦点検出ユニット５に導く。メインミラー３およびサブミラー４は、撮影中は上記光路から退避する。
【００１５】
焦点検出ユニット５はＡＦセンサを有し、いわゆる位相差検出方式での焦点検出（交換レンズ２の焦点状態の検出）を行う。ＡＦセンサは、入射した光束を２つに分割するコンデンサレンズと、各分割光束を再結像させる２つのセパレータレンズと、結像した２つの被写体像をそれぞれ光電変換するＣＣＤセンサ等のラインセンサから構成される。なお、ラインセンサは、被写体の縦方向（Ｙ方向）と横方向（Ｘ方向）の像位置を検出するよう十字型に配置されている。
【００１６】
６はＣＣＤセンサ又はＣＭＯＳセンサにより構成される撮像素子であり、この撮像素子６の受光面（撮像面）上には交換レンズ２からの光束が結像する。撮像素子６は、結像した被写体像を光電変換し、撮像信号を出力する。また、不図示の電子制御式フォーカルプレーンシャッタにより撮像素子６の露光量を制御する。
【００１７】
ファインダ光学系は、ペンタプリズム７と、接眼レンズ８とにより構成されている。
【００１８】
交換レンズ２において、被写体側から順に、１１は第１レンズユニット、１２はフォーカスレンズとしての第２レンズユニット、１３は変倍レンズとしての第３レンズユニット、１４は振れ補正レンズとしての第４レンズユニットである。また、第３および第４レンズユニット１３，１４の間には絞りユニット１５が配置されており、交換レンズ２内を通過してカメラ１側に至る光量を調節する。なお、上記レンズユニット１１〜１４および絞りユニット１５により撮影光学系が構成される。
【００１９】
第２レンズユニット（フォーカスレンズ）１２は、ＡＦモータ１６からの駆動力を受けて光軸ＡＸＬ上を移動し、焦点調節を行う。
【００２０】
第３レンズユニット（変倍レンズ）１３は、撮影者による操作力が不図示の伝達機構により伝達されることによってレンズ光軸ＡＸＬ上を移動し、変倍を行う。
【００２１】
第４レンズユニット（振れ補正レンズ）１４は、ＩＳアクチュエータ１９からの駆動力を受けて、レンズ光軸ＡＸＬに直交する方向に移動し、像振れ補正を行う。
【００２２】
具体的には、まず交換レンズ２側に設けられた振動ジャイロ等の角速度センサ１７からの信号および加速度センサ１８からの信号に基づいて、カメラシステムの振れを示す振れ情報が生成される。さらに、その振れ情報が示す振れ方向とは反対方向に、かつ振れ情報が示す振れ変位量に応じた駆動量（振れ変位量と振れ補正レンズの敏感度等から演算される）だけ第４レンズユニット１４を駆動するようにＩＳアクチュエータ１９を制御する。
【００２３】
なお、加速度センサ１８は、Ｘ，Ｙ，Ｚの３方向の加速度を検出することができる。また、角速度センサ１７と加速度センサ１８は、撮影光学系の光軸ＡＸＬに直交し、かつ撮影光学系の主点Ｐを含む平面上に配置されている。これにより、角速度センサ１７および加速度センサ１８はいずれも主点Ｐに対応した位置での振れの角速度および加速度を検出することができる。
【００２４】
また、ＩＳアクチュエータ１９の駆動の制御は、後述するレンズＣＰＵにより行われる。さらに、第４レンズユニット１４は、光軸上の一点を中心にして回動し、実質的に光軸直交方向に移動するものであってもよいし、いわゆる可変頂角プリズムであってもよい。
【００２５】
図２は、図１に示したレンズ交換式デジタル一眼レフカメラシステムの電気回路構成を示すブロック図である。
【００２６】
この図において、１００はカメラ１側の電気回路（以下、カメラ側電気回路という）、２００は交換レンズ２側の電気回路（以下、レンズ側電気回路という）である。
【００２７】
カメラ側電気回路において、１０１はマイクロコンピュータで構成されるカメラＣＰＵである。カメラＣＰＵ１０１は、カメラ１側の各構成部の動作を制御するとともに、カメラ接点１０２および交換レンズ２側（以下、単にレンズ２側という）のレンズ接点２０２を介して交換レンズ２に設けられたレンズＣＰＵ２０１との通信を行う。レンズ２側に通信される情報としては、後述する平行振れ情報、ピント振れ情報等が含まれ、また、レンズ２側から受信する信号として像倍率情報等が含まれる。
【００２８】
カメラ接点１０２は、レンズ２側に信号を伝達する信号伝達接点、交換レンズ２に電源を供給する電源用接点を含む。
【００２９】
１０３は外部から操作可能な電源スイッチであり、カメラＣＰＵ１０１を立ち上げてシステム内の各アクチュエータやセンサ等への電源供給およびシステムの動作を可能な状態とするためのスイッチである。
【００３０】
１０４は外部から操作可能な２段ストローク式のレリーズスイッチであり、第１ストロークスイッチ（ＳＷ１）と第２ストロークスイッチ（ＳＷ２）を有する。レリーズスイッチ１０４からの信号は、カメラＣＰＵ１０１に入力される。カメラＣＰＵ１０１は、第１ストロークスイッチ（ＳＷ１）からのＯＮ信号の入力に応じて、撮影準備状態に入り、測光部１０５による被写体輝度の測定、ＡＦセンサ蓄積時間の検出、および焦点検出部１０６による位相差検出方式での焦点検出を開始させる。カメラＣＰＵ１０１は、測光結果に基づいて絞りユニット１５の絞り値や撮像素子６の露光量（シャッタ秒時）等を演算する。また、カメラＣＰＵ１０１は、焦点状態の検出結果である焦点検出情報（デフォーカス量およびデフォーカス方向）に基づいて、撮影対象となる被写体に対して焦点を合わせるために必要な第２レンズユニット１２の駆動量および駆動方向を決定する。駆動量および駆動方向の情報は、レンズＣＰＵ２０１に送信される。レンズＣＰＵ２０１は、レンズ２内の各構成部の動作を制御する。
【００３１】
さらに、カメラＣＰＵ１０１は、レンズ２側に設けられたＩＳ（防振）スイッチ２０３からのＯＮ信号を受けると、第４レンズユニット１４の駆動制御、すなわち振れ補正制御を開始する。ここで、カメラ１側に設けられた平行振れ検出部１０８が、ＡＦセンサからの信号に基づいて、つまりは合焦対象の被写体からの光束がＡＦセンサ上で変位することを利用してＡＦセンサに結像する被写体像のＸ，Ｙ方向の像振れを検出する。検出した被写体像のＸ，Ｙ方向の像振れ、すなわち平行振れをＸ，Ｙ方向の平行振れ情報としてレンズＣＰＵ２０１に送信する。また、ピント振れ検出部１０７は、焦点検出情報の変動に基づいてピント方向（Ｚ方向）の振れ、すなわちピント振れ変位量（方向を含む）を検出し、これをピント振れ情報としてレンズＣＰＵ２０１に送信する。
【００３２】
第２ストロークスイッチ（ＳＷ２）からのＯＮ信号が入力されると、カメラＣＰＵ１０１は、レンズＣＰＵ２０１に対して絞り駆動命令を送信し、絞りユニット１５を先に演算した絞り値に設定させる。また、カメラＣＰＵ１０１は、露光部１０９に露光開始命令を送信し、ミラー３，４の退避（アップ）動作およびシャッタの開放動作を行わせ、撮像素子６を含む撮像部１１０にて、被写体像の光電変換、すなわち撮影を行わせる。
【００３３】
撮像部１１０（撮像素子６）からの撮像信号は、信号処理部１１１にてデジタル変換され、さらに各種補正処理が施されて画像信号として出力される。画像信号（データ）は、画像記録部１１２において、フラッシュメモリ等の半導体メモリ、磁気ディスク、光ディスク等の記録媒体に記録保存される。
【００３４】
レンズ接点２０２は、カメラ１側との信号のやり取りを行う信号伝達接点と、カメラ１側から電源供給を受ける電源用接点とを含む。
【００３５】
ＩＳ（防振）スイッチ２０３は、像振れ補正制御を行わせるかどうかを選択するために撮影者により操作される。ＩＳスイッチ２０３からのＯＮ信号は、レンズＣＰＵ２０１を介してカメラ１側にも送信される。
【００３６】
２０４は図１において符号１７を付した角速度センサである。角速度センサ２０４は、カメラシステムの角度振れである縦（ピッチ方向）振れと横（ヨー方向）振れのそれぞれの角速度を示す角速度信号を出力する検出部と演算出力部とから構成されている。上記演算出力部は上記検出部からの角速度信号を電気的あるいは機械的に積分して得られた、上記ピッチ方向振れおよびヨー方向振れの変位（角度振れ変位量）を示す信号をレンズＣＰＵ２０１に出力している。なお、この角速度センサ２０４は、レンズＣＰＵ２０１からの指令信号によってその動作のＯＮ／ＯＦＦが制御される。
【００３７】
２０５は図１において符号１８を付した加速度センサであり、互いに直交するＸ，Ｙ，Ｚの３方向における加速度を機械的に、具体的には振れにより発生する慣性力を利用して検出し、加速度を示す信号をレンズＣＰＵ２０１に出力する。
【００３８】
２０６は加速度・速度演算部であり、カメラ１側から入力されたＸ，Ｙ方向の平行振れ情報およびＺ方向のピント振れ情報を、撮影倍率情報（これについては後述する）に応じてＸ，Ｙ、Ｚ方向の平行，ピント振れ変位量に変換する。さらに、その値からＸ，Ｙ，Ｚ方向の平行，ピント振れ速度および平行，ピント振れ加速度を演算する。
【００３９】
ここで既に角度振れの補正が行われた状態であれば、Ｘ，Ｙ方向の振れは角度振れを排除した平行振れのみと見なされる。
【００４０】
２０７は補正値演算部である。補正値演算部２０７は、まず加速度・速度演算部２０６にて演算された平行，ピント振れ加速度と、加速度センサ２０５からの信号により示される加速度（以下、センサ検出加速度という）とを比較する。さらに、その差分を加速度センサ２０５から得られた加速度に対する補正値として演算する。この補正値は、Ｘ，Ｙ，Ｚのそれぞれの方向について演算され、方向別の加速度補正値として記憶される。なお、この補正値が重力加速度に相当する。この補正値演算部２０７における補正値演算は、カメラ１側の露光動作の開始まで繰り返され、随時、加速度補正値が更新記憶される。
【００４１】
２０８は振れ変位演算部であり、加速度センサ２０５から得られたセンサ検出加速度に対して補正値演算部２０７にて算出された加速度補正値による補正を加えることによって、センサ検出加速度から重力加速度成分を排除する。補正後の加速度を積分して振れ速度を求め、さらにこれを積分する。これにより、加速度センサ２０５の検出結果を基にした、重力加速度成分を除外した平行、ピント振れ変位量が算出される。
【００４２】
なお、振れ速度および振れ変位の算出においては、カメラシステムの振れの初速度を求める必要があるため、加速度・速度演算部２０６で求められた振れ速度（平行，ピント振れ速度）を初速度として設定する。
【００４３】
２０９は振れ合成部であり、上記振れ変位演算部２０８で算出された加速度センサ出力による平行振れ変位量と角速度センサ２０４出力から求められた角度振れ変位量（ピッチ、ヨー方向）とから、第４レンズユニット１４の駆動量（振れ補正量）を決定する。具体的には、Ｘ方向の平行振れによる振れ変位量と、ヨー方向の角度振れによる像面上での振れ変位量とを合成し、かつＹ方向の平行振れによる振れ変位量とピッチ方向の角度振れによる像面上での振れ変位量とをそれぞれ合成する。そして、合成された振れ変位量から、第４レンズユニット１４の駆動量および方向を決定する。
【００４４】
２１０は前述したピント振れ変位量に基づいて、第２レンズユニット１２のピント振れ補正のための駆動量および方向を演算するピント振れ補正量演算部である。
【００４５】
２１１は補正駆動制御部であり、ＩＳスイッチ２０３のＯＮに応答して、角度振れに基づく振れ補正制御もしくは角度振れと平行振れの合計値（合成値）に基づく振れ補正制御を選択的に実行する。具体的には、補正駆動制御部２１１は、撮像倍率情報により示される倍率が予め定められた値（例えば、０．２〜０．３倍、より好ましくは０．１倍）より低い場合には角度振れのみに基づく振れ補正制御を行う。また、倍率が上記予め定められた値よりも高いマクロ域である場合には、露光開始前から角度振れと平行振れとの合計変位量に基づく振れ補正制御を行う。
【００４６】
なお、加速度・速度演算部２０６〜補正駆動制御部２１１はレンズＣＰＵ２０１内に設けられている。
【００４７】
２１２は補正駆動部であり、図１に示したＩＳアクチュエータ１９とその駆動回路とを含む。ＩＳアクチュエータ１９は、第４レンズユニット１４をＸ方向に駆動する永久磁石およびコイルからなるＸ方向アクチュエータと、第４レンズユニット１４をＹ方向に駆動する永久磁石およびコイルからなるＹ方向アクチュエータとにより構成される。なお、レンズ２内には、第４レンズユニット１４を、その光軸がレンズ光軸ＡＸＬに略一致する位置に保持するためのロック機構が設けられている。補正駆動部２１２は、レンズＣＰＵ２０１からの指令信号に応じて、ＩＳスイッチ２０３がＯＦＦになったとき（振れ補正停止時）にロック機構をロック動作させる。また、ＩＳスイッチ２０３がＯＮになったとき（振れ補正動作時）にロック機構をアンロック動作させる。
【００４８】
２１３は合焦駆動部であり、カメラＣＰＵ１０１から送信された第２レンズユニット１２の駆動量および駆動方向の情報に応じてＡＦモータ１６を駆動することによって第２レンズユニット１２の駆動を行う。
【００４９】
２１４は絞り駆動部であり、カメラＣＰＵ１０１からの絞り駆動命令を受けたレンズＣＰＵ２０１により制御され、図１に示した絞りユニット１５を該命令により指定された絞り値に相当する開口状態に動作させる。
【００５０】
２１５は撮影倍率検出部であり、変倍レンズである第３レンズユニット１３の位置を検出する第１検出部と、第２レンズユニット１２の位置を検出する第２検出部と、これら第１および第２検出部からの位置情報に基づいて撮影倍率を演算する演算部（いずれも図示せず）により構成されている。該演算部で演算された撮影倍率の情報は、加速度・速度演算部２０６に送信されるとともに、レンズＣＰＵ２０１を介してカメラＣＰＵ１０１にも送信される。
【００５１】
２１６はピント振れ補正停止スイッチであり、ピント振れの補正制御を行うかどうかを撮影者は選択することが出来る。このピント振れ補正停止スイッチを押し続けている間は、ＩＳスイッチがＯＮ時であってもピント振れの補正は行われず、角度振れと平行振れとの合成変位量に基づく振れ補正制御のみを行う。ピント振れ補正停止スイッチを押し続けている間も加速度センサによるサンプリングは行われており、スイッチを離すと同時にサンプリングされていたデータはリセットされ、スイッチを離した時点からのピント振れが補正される。
【００５２】
次に、図３のフローチャートを用いて、図２に示したシステムの主要動作を説明する。まず、カメラ側電気回路１００における電源スイッチ１０３がＯＮされると、レンズ側電気回路２００に電源供給が開始され、カメラＣＰＵ１０１とレンズＣＰＵ２０１との間の通信が開始される（ステップ〈図にはＳと記す〉１００１）。
【００５３】
次に、カメラＣＰＵ１０１は、レリーズスイッチ１０４におけるＳＷ１のＯＮ信号が発生しているか否かを判別する（ステップ１００２）。ＳＷ１のＯＮ信号が発生しているときは、レンズＣＰＵ２０１は、ＩＳスイッチ２０３がＯＮになっているかを判別する（ステップ１００３）。ＩＳスイッチ２０３がＯＮのときはステップ１００４へ、ＯＮでないときはステップ１０１２へ進む。
【００５４】
ステップ１００４では、カメラＣＰＵ１０１は焦点検出動作を行い、レンズＣＰＵ２０１は、焦点検出結果に基づくフォーカス動作を行う。
【００５５】
またレンズＣＰＵ２０１は、加速度センサ２０５の出力を基にした平行振れ変位量および角速度センサ２０４の出力から角度振れ変位量を求める。この変位量から第４レンズユニット１４の振れ補正駆動量を決定する。
【００５６】
さらにレンズＣＰＵ２０１は、ピント振れ変位量に基づいて第２レンズユニット１２のピント振れ補正駆動量を演算する。
【００５７】
ステップ１００５では、ピント振れ補正停止スイッチ２１６がＯＮになっているかを判別する。ピント振れ補正停止スイッチ２１６がＯＮのときはステップ１００６へ、ＯＮでないときはステップ１００８へ進む。
【００５８】
ステップ１００６では、ステップ１００４で決定された第４レンズユニット１４の振れ補正駆動量にしたがって、第４レンズユニット１４を駆動させ角度振れおよび平行振れの補正を行う。
【００５９】
ステップ１００７では、ピント振れ補正停止スイッチ２１６がＯＦＦ（スイッチから指を離す）になっているかを判別する。ピント振れ補正停止スイッチ２１６がＯＮの間は、角度振れと平行振れの振れ補正を続け、ＯＦＦにされるとステップ１００８へ進む。
【００６０】
ステップ１００８では、ステップ１００４で決定された第４レンズユニット１４および第２レンズユニット１２のピント振れ補正駆動量にしたがって、第４および第２レンズユニットを駆動させ、角度振れ、平行振れおよびピント振れの補正を行う。
【００６１】
ステップ１００９では、カメラＣＰＵ１０１は撮像素子６の露光動作を開始し、これと同時にレンズＣＰＵ２０１では角度振れおよび平行振れの補正を行う。
【００６２】
露光動作が終了すると、ステップ１０１１に進み、カメラＣＰＵ１０１は、撮影画像データを記録媒体に記録する。
【００６３】
また、ステップ１００３にてＩＳスイッチ２０３がＯＦＦであった場合には、ステップ１０１２へと進む。ステップ１０１２ではステップ１００４と同様にカメラＣＰＵ１０１は焦点検出動作を行い、レンズＣＰＵ２０１は焦点検出結果に基づくフォーカス動作を行い、ステップ１００９へと進む。
【００６４】
カメラＣＰＵ１０１およびレンズＣＰＵ２０１は、電源スイッチ１０３がＯＦＦされるまで上記一連の動作を繰り返する。電源スイッチ１０３がＯＦＦされると、カメラＣＰＵ１０１とレンズＣＰＵ２０１間の通信を終了し、レンズ側電気回路２００への電源供給も終了する。
【実施例２】
【００６５】
第２の実施形態は、ピント振れ補正停止手段をカメラ側に設けたものである。
【００６６】
図４は本実施形態の電気回路構成を示すブロック図である。なお、本実施の一眼レフカメラの断面図は図１と同じであるので、第１の実施形態の当該部に対応する記載を参照することとし、本実施形態での記載を省略する。また、図４においても、図２と同じ機能を有する構成については、同一の符号を付してその説明を省略する。
【００６７】
カスタムファンクション（ＣＦ）設定部１１３では予めカメラ内に設定された機能としてピント振れ補正の実行／停止を制御するモードを撮影者が選択して使用する事ができる。カスタムファンクションでピント振れ補正制御モードが選択されている場合、例えば、不図示の測光ボタンを第１の実施形態で使用したピント振補正停止スイッチと同じ役割をする。
【００６８】
図５は図４に示したシステムの主要動作のフローチャートである。図５において、図３のフローチャートと同じ動作をするステップには同じ番号を付して説明を省略する。
【００６９】
図５において、図３のフローチャートと異なる部分は、ステップ１００４とステップ１００５の間にステップ１０１３が付加されている点である。
【００７０】
ステップ１０１３では、カスタムファンクション（ＣＦ）が設定されているか否かを判別し、設定されていればステップ１００５へ、設定されていなければステップ１００８へ進む。
【００７１】
その後、ステップ１００５以降の処理を実行する。
【００７２】
このように第２の実施形態では、ピント振れ補正停止手段をカスタムファンクションで設定することにより、新たにピント振れ停止スイッチをカメラ側に設ける必要がなく、ピント振れ補正の停止が可能となる。
【００７３】
なお、実施例では、ＡＦセンサからの出力を用いて平行振れおよびピント振れを検出する場合について説明したが、本発明はこれに限定されず、例えば、撮像素子６からの出力を用いてこれらを検出してもよい。
【００７４】
また、実施例では、ＡＦセンサからの出力を、加速度センサ２０５により検出される加速度の補正値の算出（重力加速度の排除）に用い、さらにその加速度に基づいて計算される速度算出に必要な初速度を求めるのに用いる場合について説明した。しかし、本発明はこれに限定されず、例えば一方の算出のみに用いたり、ＡＦセンサを用いず従来のように加速度センサにより検出した情報から重力加速度を排除し、初速度を求めたりしてもよい。
【００７５】
また、実施例では、露光開始前において平行振れの補正を開始する場合について説明したが、露光開始と同時に平行振れの補正を開始するようにしてもよい。
【００７６】
さらに、実施例では、平行振れ検出部１０８およびピント振れ検出部１０７がカメラ１側に設けられ、角速度センサ２０４、加速度センサ２０５および振れ補正制御を行うＣＰＵがレンズ２側に設けられた場合について説明した。しかし、本発明はこれに限定されず、これら各構成要素は、カメラ側およびレンズ側のいずれに設けられていてもよい。
【００７７】
例えば、角速度センサおよび加速度センサを、平行振れ検出部およびピント振れ検出部とともにカメラ側に設け、これらからの出力信号をレンズ側のＣＰＵが取り込んで振れ補正制御を行ってもよい。さらに、レンズ側に設けた平行振れ検出部およびピント振れ検出部がカメラ側のＡＦセンサからの信号を取り込んで、平行振れおよびピント振れの演算を行うようにしてもよい。また、カメラ側のＣＰＵにおいて振れ補正に必要な全ての演算を行い、第４レンズユニット１４の駆動指令（駆動量および方向の指令）をレンズ側に送信するようにしてもよい。
【００７８】
さらに、実施例は、レンズ交換式デジタル一眼レフカメラについて説明したが、本発明は、レンズ一体側のデジタルカメラ、さらにはビデオカメラにも適用することができる。
【００７９】
また、実施例では、いわゆる光学防振を行う場合について説明したが、本発明は、撮像素子により取得した画像信号のうち出力する領域を振れに応じてシフトさせたり、領域を拡大・縮小させたりする、いわゆる電子防振を行う場合にも適用することができる。
【図面の簡単な説明】
【００８０】
【図１】本発明の実施例であるレンズ交換式デジタル一眼レフカメラを示す断面図。
【図２】第１の実施形態の電気回路構成を示すブロック図。
【図３】第１の実施形態における主要動作を示すフローチャート。
【図４】第２の実施形態の電気回路構成を示すブロック図。
【図５】第２の実施形態における主要動作を示すフローチャート。
【符号の説明】
【００８１】
１  カメラボディ
２  交換レンズ
３  メインミラー
４  サブミラー
５  焦点検出ユニット
６  撮像素子
１２  第２レンズユニット（フォーカスレンズ）
１４  第４レンズユニット（振れ補正レンズ）
１５  絞りユニット
１６  ＡＦモータ
１７  角度振れセンサ
１８  加速度センサ
１９  ＩＳアクチュエータ
【図１】
2010145501.tif 000003
【図２】
2010145501.tif 000004
【図３】
2010145501.tif 000005
【図４】
2010145501.tif 000006
【図５】
2010145501.tif 000007